(57)【要約】【課題】安全性を確保しやすい安全装置を提供する。【解決手段】回路に設けられるソケット１と、このソケット１に対して着脱自在に形成されたプラグ２とを備える安全装置Ａである。前記プラグ２にはキースイッチ３０が備えられる。このキースイッチ３０がオン状態で且つ前記プラグ２を前記ソケット１に取り付けた状態で前記回路の通電が可能となる。前記キースイッチ３０がオフ状態又は前記プラグ２を前記ソケット１から取り外した状態で前記回路の通電が不能となるように形成される。前記キースイッチ３０はオフ状態でのみキー３１がキースイッチ３０から離脱可能に形成される。【選択図】図１
2012207696.tif 000002
【特許請求の範囲】
【請求項１】
回路に設けられるソケットと、このソケットに対して着脱自在に形成されたプラグとを備える安全装置であって、前記プラグにはキースイッチが備えられ、このキースイッチがオン状態で且つ前記プラグを前記ソケットに取り付けた状態で前記回路の通電が可能となり、前記キースイッチがオフ状態又は前記プラグを前記ソケットから取り外した状態で前記回路の通電が不能となるように形成され、前記キースイッチはオフ状態でのみキーがキースイッチから離脱可能に形成されて成ることを特徴とする安全装置。
【請求項２】
前記キースイッチがオフ状態のときのみに前記プラグが前記ソケットから取り外し可能に形成されていることを特徴とする請求項１に記載の安全装置。
【請求項３】
前記ソケットが出入口周辺とこの出入口を開閉する扉の一方に設けられ、前記プラグが前記出入口周辺と前記扉の他方に設けられ、前記扉が前記出入口から出入り不能になるまで開閉した状態で前記プラグが前記ソケットに取り付け可能に形成されていることを特徴とする請求項１又は２に記載の安全装置。
【発明の詳細な説明】
【技術分野】
【０００１】
本発明は、扉などに適用される安全装置に関するものである。
【背景技術】
【０００２】
従来より、工作機械などの機械設備は安全柵で囲われており、人が不用意に近づけないようになっている。作業者が機械設備のメンテナンス等を行う場合は、作業者が安全柵に設けた扉を開けて柵内に入るが、このときに機械設備が作動しないように、扉の近傍には安全装置が設けられている（例えば、特許文献１参照）。
【０００３】
安全装置の一例としては、ソケットとプラグとからなるものが提案されている。プラグはソケットに着脱自在に形成されている。ソケットは機械設備に電力を供給する電源回路等の途中に設けられている。
【０００４】
そして、プラグをソケットに取り付けた状態では、プラグに内蔵された導体とソケットに内蔵された導体とが結線されて、電源回路から機械設備へ通電可能となり、電源回路のスイッチをオンにすると、機械設備に電力が供給される。一方、プラグをソケットから取り外した状態では、プラグに内蔵された導体とソケットに内蔵された導体とが結線されないため、電源回路から機械設備へ通電不能となり、電源回路のスイッチをオンにしても、機械設備に電力が供給されない。
【０００５】
このような安全装置は、作業者が機械設備のメンテナンス等を行う場合に、電源スイッチを切り、さらにプラグをソケットから取り外すことによって、電源回路を確実に開放状態に保持して安全性を確保するものである。そして、作業者は取り外したプラグを携帯しながら機械設備のメンテナンス等を行うようにすれば、安全性は確実に確保されるものである。
【先行技術文献】
【特許文献】
【０００６】
【特許文献１】特開平７−２２９５９６号公報
【発明の概要】
【発明が解決しようとする課題】
【０００７】
しかし、作業者がプラグをソケットから取り外したままその近くに置き忘れたり、プラグを携帯するのが面倒でソケットの近くに置いたままにしたりすることがあった。この場合、メンテナンス中であることを知らない第三者が、取り外したプラグや予備のプラグをソケットに取り付けて機械設備を作動させるおそれがあり、安全性を確保しにくいという問題があった。
【０００８】
本発明は上記の点に鑑みてなされたものであり、安全性を確保しやすい安全装置を提供することを目的とするものである。
【課題を解決するための手段】
【０００９】
本発明に係る安全装置は、回路に設けられるソケットと、このソケットに対して着脱自在に形成されたプラグとを備える安全装置であって、前記プラグにはキースイッチが備えられ、このキースイッチがオン状態で且つ前記プラグを前記ソケットに取り付けた状態で前記回路の通電が可能となり、前記キースイッチがオフ状態又は前記プラグを前記ソケットから取り外した状態で前記回路の通電が不能となるように形成され、前記キースイッチはオフ状態でのみキーがキースイッチから離脱可能に形成されて成ることを特徴とするものである。
【００１０】
前記安全装置にあっては、前記キースイッチがオフ状態のときのみに前記プラグが前記ソケットから取り外し可能に形成されていることが好ましい。
【００１１】
前記安全装置にあっては、前記ソケットが出入口周辺とこの出入口を開閉する扉の一方に設けられ、前記プラグが前記出入口周辺と前記扉の他方に設けられ、前記扉が前記出入口から出入り不能になるまで開閉した状態で前記プラグが前記ソケットに取り付け可能に形成されていることが好ましい。
【発明の効果】
【００１２】
前記安全装置にあっては、プラグのソケットへの着脱状態に加えて、キースイッチのオンオフ状態でも回路の通電の可能と不能とを切り替えることができ、安全性を確保しやすいものである。
【図面の簡単な説明】
【００１３】
【図１】本発明の実施の形態の一例を示す概略の断面図である。
【図２】同上の使用状態を示す概略の斜視図である。
【図３】同上の使用状態を示す概略の斜視図である。
【図４】同上の使用状態を示す概略の回路図である。
【図５】同上の使用状態を示す概略の回路図である。
【図６】同上の使用状態を示す概略の回路図である。
【図７】同上の一部を示し、（ａ）（ｂ）は概略の断面図である。
【図８】同上のプラグカバーを示し、（ａ）（ｂ）は概略の斜視図である。
【図９】同上のプラグカバーを示す概略の斜視図である。
【図１０】同上の他の実施の形態の一例を示す概略の断面図である。
【発明を実施するための形態】
【００１４】
以下、本発明を実施するための形態を説明する。
【００１５】
安全装置Ａは、図１に示すように、ソケット１とプラグ２とを備えて形成されている。
【００１６】
ソケット１は筒状のソケット本体１０の内部に複数のソケット導体１１を設けて形成されている。ソケット本体１０の一端は差し込み口１２として開口されている。ソケット本体１の他端にはソケット導体１１の一端がソケット端子部１３として突出されている。ソケット導体１１の他端はソケット接触部１４としてソケット本体１０の内部に位置している。
【００１７】
プラグ２は筒状のプラグ本体２０の内部に複数のプラグ導体２１とキースイッチ３０とを設けて形成されている。プラグ本体２０の一端は上記ソケット本体１０の差し込み口１２に差し込み可能な挿入部２２として形成されている。プラグ導体２１の挿入部２２側の一端はプラグ接触部２３として挿入部２２の内側に位置している。プラグ導体２１の他端はプラグ接続部２４としてプラグ本体２０の内部に位置している。
【００１８】
キースイッチ３０は、キー３１の操作によりオン状態とオフ状態の切り替えを行うことができるものである。キースイッチ３０の一端には、複数のキースイッチ端子部３２が突設されており、キースイッチ端子部３２は、各々、プラグ本体２０の内部において、プラグ導体２１のプラグ接続部２４と結合されて電気的に接続されている。また、キースイッチ３０の他端にはキー３１の鍵穴３３が設けられており、この鍵穴３３がプラグ本体２０の他端（挿入部２２と反対側の端部）に露出するようにして、キースイッチ３０がプラグ本体２０に取り付けられている。
【００１９】
上記のソケット１は回路３４に設けられている。ここで、回路３４は工作機械などの機械設備に電気を供給するための電源回路を例示することができる。また、回路３４は機械設備のオンとオフなどを制御するための制御回路であってもよい。ソケット１は、ソケット端子部１３を回路３４と電気的に接続することによって、回路３４に組み込まれている。
【００２０】
上記の安全装置Ａは、例えば、図２に示すように、安全柵３５などに設けることができる。安全柵３５は機械設備に人が不用意に近づけないようにするために、機械設備を囲うように設けられている。安全柵３５には人が柵内と柵外とに出入りするための出入口３６が設けられており、この出入口３６には出入口３６を開閉するための扉３７が設けられている。安全装置Ａのソケット１は安全柵３５の出入口３６周辺（例えば、出入口３６の開口縁部）に設けることができる。この場合、安全装置Ａのプラグ２は上記扉３７に設けることができる。プラグ２はチェーンなどの連結具３８を用いて扉３７に連結されている。
【００２１】
そして、上記の安全装置Ａは以下のようにして使用される。
【００２２】
機械設備を運転している状態では、人が機械設備に不用意に近づかないようにするために、安全柵３５の出入口３６は扉３７により閉じられている。また、図３に示すように、ソケット１の差し込み口１２にプラグ２の挿入部２２が差し込まれ、プラグ２がソケット１に保持されていると共にプラグ２のプラグ導体２１のプラグ接触部２３がソケット１のソケット導体１１のソケット接触部１４と接触して電気的に接続された状態となっている。さらに、キースイッチ３０には鍵穴３３からキー３１が差し込まれており、キー３１の回動操作等によりキースイッチ３０がオン状態になっている。このようにプラグ２がソケット１に取り付けられ、キースイッチ３０がオン状態のときには、図４に示すように、ソケット導体１１とプラグ導体２１とキースイッチ３０を通じて回路３４が通電可能であり、回路３４への通電により機械設備が運転されるものである。
【００２３】
一方、機械設備のメンテナンス等を行う場合のように、機械設備に人が近づけるようにするには以下のようにする。まず、キースイッチ３０の鍵穴３３にキー３１を差し込んだ状態でキー３１を回動動作等することにより、キースイッチ３０をオフ状態にし、回路３４を通電不能状態にする。これにより、機械設備が停止する。次に、オフ状態のキースイッチ３０の鍵穴３３からキー３１を引き抜く。引き抜いたキー３１はメンテナンス等の作業者が携帯する。次に、図５に示すように、プラグ２の挿入部２２をソケット１の差し込み口１２から引き抜いてソケット１からプラグ２を取り外す。この後、扉３７を開いて出入口３６を開放し、出入口３６から安全柵３５内に作業者が入ることにより、作業者が機械設備に近づいてメンテナンス等を行うことができる。
【００２４】
また、メンテナンス等の後などにおいて、機械設備を再運転する場合は以下のようにして行う。まず、メンテナンス等の作業者が出入口３６から安全柵３５外に出る。次に、扉３７を閉じて出入口３６を閉塞する。次に、ソケット１の差し込み口１２にプラグ２の挿入部２２を差し込んでプラグ２をソケット１に保持する。これにより、図６に示すように、プラグ２のプラグ導体２１のプラグ接触部２３がソケット１のソケット導体１１のソケット接触部１４と接触して電気的に接続された状態となる。この後、作業者が携帯しているキー３１をキースイッチ３０の鍵穴３３に差し込み、キー３１を回動操作等することによりキースイッチ３０をオン状態にする。これにより、ソケット導体１１とプラグ導体２１とキースイッチ３０を通じて回路３４に通電され、この通電により機械設備が運転されるものである。
【００２５】
そして、上記キー３１は、キースイッチ３０がオフ状態でのみ鍵穴３３から引き抜いてキースイッチ３０から離脱可能に形成されている。すなわち、上記キー３１はキースイッチ３０がオン状態では鍵穴３３から引き抜くことができず、キースイッチ３０から離脱不能に形成されている。このようにオフ状態でのみキー３１が離脱可能で、オン状態ではキー３１が離脱不能に形成されるキースイッチ３０は公知であり、一般に市販もされている。例えば、キースイッチ３０がオン状態では、図７（ａ）に示すように、キー３１の鍵山３１ａが、鍵穴３３の内面の溝部３３ａに差し込まれて係止され、キー３１を鍵穴３３から引き抜くことができないようにする。一方、キー３１を回動させて、キースイッチ３０をオフ状態にすると、図７（ｂ）に示すように、キー３１の鍵山３１ａが、鍵穴３３の内面の溝部３３ａから抜かれて係止が外れ、キー３１を鍵穴３３から引き抜くことができるようにする。
【００２６】
上記の安全装置Ａは、作業者が機械設備に近づくときに、キースイッチ３０をオフ状態にし、さらにソケット１からプラグ２を取り外すことによって、キースイッチ３０のオフ状態とソケット接触部１４の箇所での回路３４の開放により、二重で回路３４の通電不能状態を確保することができ、作業者の安全性を確保しやすいものである。しかも、キースイッチ３０のオン状態とオフ状態を切り替えるためのキー３１はキースイッチ３０がオフ状態でのみキースイッチ３０から離脱可能であるため、作業者がキー３１を携帯しているときにはキースイッチ３０がオフ状態にすることができる。従って、キースイッチ３０がオフ状態のプラグ２がソケット１に差し込まれて取り付けられても回路３４は通電不能状態となり、作業者がキー３１を携帯しているときには機械設備が運転不能となって、作業者の安全性が確保しやすいものである。
【００２７】
上記の安全装置Ａにおいて、キースイッチ３０がオフ状態のときのみに、プラグ２がソケット１から取り外し可能に形成することができる。この場合、図８（ａ）（ｂ）に示すようなプラグカバー４０を用いることができる。プラグカバー４０は、一端が開口し、他端が閉塞されて略円筒状に形成されており、プラグカバー４０の内径はソケット１及びプラグ２の外径よりもやや大きく形成されている。プラグカバー４０の内側開口縁部には突起部４１が形成されている。また、プラグカバー４０の閉塞面にはスリット状のキー挿入口４２が形成されている。一方、図９に示すように、ソケット１のソケット本体１０の外面には誘導溝４３と係止溝４４とが形成されている。誘導溝４３はその一端がソケット本体１０の差し込み口１２に開口して形成されている。また、誘導溝４３はソケット１へのプラグ２の差し込み方向と略平行に長く形成されている。係止溝４４は誘導溝４３の他端からソケット１の周方向と略平行に長く形成されている。
【００２８】
そして、プラグカバー４０は次のようにして使用する。まず、上記と同様にして、キースイッチ３０がオフ状態のプラグ２をソケット１に差し込んで保持する。次に、図１０に示すように、プラグカバー４０にその開口からプラグ２を差し込んでプラグ２の外側にプラグカバー４０を被せる。また、プラグカバー４０の突起部４１を誘導溝４３に挿入する。このようにキースイッチ３０がオフ状態のプラグ２にプラグカバー４０を装着すると、キースイッチ３０の鍵穴３３とキー挿入口４２が対向配置される。
【００２９】
次に、キー挿入口４２からキー３１をプラグカバー４０内に差し込むと共にこのキー３１をプラグ２の鍵穴３３に挿入する。そして、キースイッチ３０がオン状態となるようにキー３１を回動させると、キー３１がキー挿入口４２に引っ掛かって、キー３１の回動と共にプラグカバー４０も回動し、突起部４１が誘導溝４３から係止溝４４に導入される。これにより、プラグ２がプラグカバー４０で覆われると共に突起部４１が係止溝４４に係止されてプラグカバー４０がソケット１から引き抜くことができないようにすることができる。従って、オン状態のプラグ２が単独では抜けないようにすることができる。
【００３０】
また、プラグ２を抜く場合には、キースイッチ３０がオフ状態になるように、キー３１を回動させる。この回動によりキー３１がキー挿入口４２に引っ掛かって、キー３１の回動と共にプラグカバー４０も回動し、突起部４１が係止溝４４から誘導溝４３に導入される。この後、キー３１を鍵穴３３及びキー挿入口４２から引き抜く。この後、突起部４１を誘導溝４３から引き抜くと共にプラグカバー４０もソケット１及びプラグ２から引き抜く。この後、オフ状態のプラグ２をソケット１から引き抜くことができる。
【００３１】
尚、キー３１はキースイッチ３０がオン状態では鍵穴３３から抜けないため、プラグカバー４２は単独では回動せず、常に、キー３１と同方向に回動することになる。従って、キースイッチ３１のオン状態ではプラグカバー４２はソケット１及びプラグ２から引き抜くことができず、キースイッチ３１のオフ状態でのみプラグカバー４２はソケット１及びプラグ２から引き抜くことができる。よって、より安全性を高めることができる。
【００３２】
上記の安全装置Ａは、人が出入口３６から出入り不能になるまで扉３７を開閉した状態でプラグ２がソケット１に取り付け可能に形成することができる。出入口３６から出入り不能になる状態とは、扉３７で出入口３６を完全に閉塞した状態の他に、人が通り抜けできない隙間が出入口３６に形成されるように扉３７が開いた状態も含む。このように扉３７を閉めた状態あるいは若干開いた状態で、プラグ２がソケット１に取り付け可能に形成するには、例えば、ソケット１やプラグ２の配置位置やプラグ２を扉７等に連結する連結具３８の長さなどを調整することができる。
【００３３】
このように人が出入口３６から出入り不能になるまで扉３７を開閉した状態でプラグ２がソケット１に取り付け可能に形成するので、人が出入口３６から出入り可能な状態に扉３７が開いていると、プラグ２がソケット１に取り付けられないため、回路３４に通電されず、機械設備が運転されないようにすることができ、安全性を更に向上させることができるものである。
【００３４】
尚、上記では、ソケット１を安全柵３５の出入口３６周辺に設け、プラグ２を扉３７に設ける場合を説明したが、逆に、ソケット１を上記扉３７に設け、プラグ２を安全柵３５の出入口３６周辺に設けることもできる。
【符号の説明】
【００３５】
Ａ  安全装置
１  ソケット
２  プラグ
３０  キースイッチ
３１  キー
３４  回路
３６  出入口
３７  扉
【図１】
2012207696.tif 000003
【図２】
2012207696.tif 000004
【図３】
2012207696.tif 000005
【図４】
2012207696.tif 000006
【図５】
2012207696.tif 000007
【図６】
2012207696.tif 000008
【図７】
2012207696.tif 000009
【図８】
2012207696.tif 000010
【図９】
2012207696.tif 000011
【図１０】
2012207696.tif 000012